(57)【要約】      （修正有）【課題】故障した回路に接続された太陽電池の損傷を防止するとともに、他の太陽電池からの電力の利用を可能とするパワーコンディショナを提供する。【解決手段】パワーコンディショナ１は、複数の太陽電池ストリングＰＶ−１〜ＰＶ−４と、ＤＣ／ＤＣコンバータ２−１〜２−４と、インバータ３と、リレー５と、これらを制御する制御装置４と、を備える。いずれかのＤＣ／ＤＣコンバータの短絡故障によって、正常な状態とは逆方向の電流が検出された場合に、リレー５を開放してインバータ３を停止する。次に、短絡故障したＤＣ／ＤＣコンバータのスイッチング素子のゲートをオフにする。そして、短絡故障したＤＣ／ＤＣコンバータに接続される太陽電池ストリングへの入力電力，電圧又は電流の少なくともいずれかを所定の閾値以下となるように正常に動作しているＤＣ／ＤＣコンバータを制御する。【選択図】図１
2019161892.tif 000002
【特許請求の範囲】
【請求項１】
第１の太陽電池に接続される第１ＤＣ／ＤＣコンバータと、
前記第１の太陽電池とは別の太陽電池にそれぞれ接続されるとともに前記第１ＤＣ／ＤＣコンバータと並列に接続されるＤＣ／ＤＣコンバータを少なくとも一つ含むコンバータセットと、
前記第１ＤＣ／ＤＣコンバータと、前記コンバータセットの前記ＤＣ／ＤＣコンバータとを制御する制御装置と、を備え、
前記制御装置は、前記第１ＤＣ／ＤＣコンバータにおいて正常時の方向と逆方向に流れる電流を検出した場合に、前記第１の太陽電池に、前記コンバータセットから入力される電力，電圧又は電流の少なくともいずれかが所定の第１閾値以下となるように、該コンバータセットの前記ＤＣ／ＤＣコンバータを制御することを特徴とするパワーコンディショナ。
【請求項２】
前記制御装置は、前記第１ＤＣ／ＤＣコンバータにおいて正常時の方向と逆方向に流れる電流を検出した場合に、前記第１の太陽電池に、前記コンバータセットの前記ＤＣ／ＤＣコンバータにそれぞれ接続された前記太陽電池から出力される電力又は電圧がそれぞれ所定の第２閾値以下となるように、該コンバータセットの前記ＤＣ／ＤＣコンバータを制御することを特徴とする請求項１に記載のパワーコンディショナ。
【請求項３】
前記コンバータセットの前記ＤＣ／ＤＣコンバータは、前記制御装置からの制御信号に応じてオンオフ制御されるスイッチング素子をそれぞれ有し、
前記制御装置は、前記第１ＤＣ／ＤＣコンバータにおいて正常時の方向と逆方向に流れる電流を検出した場合に、前記制御装置から前記各スイッチング素子に出力される制御信号のデューティー比をそれぞれ所定の第３閾値以下となるように制御することを特徴とする請求項２に記載のパワーコンディショナ。
【請求項４】
前記第１ＤＣ／ＤＣコンバータは、前記制御装置からの制御信号に応じてオンオフ制御される第１スイッチング素子を有し、
前記制御装置は、前記第１ＤＣ／ＤＣコンバータにおいて正常時の方向と逆方向に流れる電流を検出した場合に、前記第１スイッチング素子をオフさせることを特徴とする請求項１乃至３のいずれか１項に記載のパワーコンディショナ。
【請求項５】
前記第１ＤＣ／ＤＣコンバータ及び前記コンバータセットの前記ＤＣ／ＤＣコンバータから出力される直流電力を交流電力に変換するインバータを備え、
前記制御装置は、前記第１ＤＣ／ＤＣコンバータにおいて正常時の方向と逆方向に流れる電流を検出した場合に、前記インバータを停止させることを特徴とする請求項４に記載のパワーコンディショナ。
【請求項６】
前記インバータと商用電源又は負荷に接続する回路を開閉する開閉手段を備え、
前記制御装置は、前記第１ＤＣ／ＤＣコンバータにおいて正常時の方向と逆方向に流れる電流を検出した場合に、前記開閉手段を開放することを特徴とする請求項５に記載のパワーコンディショナ。
【発明の詳細な説明】
【技術分野】
【０００１】
本発明は、パワーコンディショナに関する。
【背景技術】
【０００２】
従来、太陽電池からの直流電力を系統に連系した商用周波数の交流電力に変換するパワーコンディショナが、太陽光発電システムにおいて用いられている。また、マルチ入力タイプの太陽光発電システムにおけるパワーコンディショナには、一群の太陽電池パネルの直接接続体から構成される太陽電池ストリングが並列に接続される。このようなマルチ入力タイプの太陽光発電システムのパワーコンディショナでは、あるストリングに接続された回路に故障が生じ、正常時とは逆方向の電流が許容されると、他のストリングから、故障が生じた回路を介して、この回路に接続された太陽電池に電力が入力される。入力される電力が過大である場合には、この回路に接続された太陽電池が発熱により損傷する可能性がある。このような場合に、故障が生じた回路に設けられたスイッチング素子をオフするとともに、他のストリングに接続する回路に設けられたスイッチング素子をオンすることにより、他のストリングに接続された回路から、故障が生じた回路に電流が流れ込むことを防止するパワーコンディショナが提案されていた（例えば、特許文献１を参照）。
【０００３】
上述のような従来の技術では、太陽電池の発熱による損傷を防止することはできるが、他の太陽電池からの電力を利用することができないという不都合が生じる。
【先行技術文献】
【特許文献】
【０００４】
【特許文献１】特許第６１８１５７８号公報
【発明の概要】
【発明が解決しようとする課題】
【０００５】
本発明は、上記のような問題に鑑みてなされたものであり、複数の太陽電池に接続されたパワーコンディショナにおいて、故障した回路に接続された太陽電池の損傷を防止するとともに、他の太陽電池からの電力の利用を可能とする技術を提供することを目的とする。
【課題を解決するための手段】
【０００６】
上記の課題を解決するための本発明は、第１の太陽電池に接続される第１ＤＣ／ＤＣコンバータと、
前記第１の太陽電池とは別の太陽電池にそれぞれ接続されるとともに前記第１ＤＣ／ＤＣコンバータと並列に接続されるＤＣ／ＤＣコンバータを少なくとも一つ含むコンバータセットと、
前記第１ＤＣ／ＤＣコンバータと、前記コンバータセットの前記ＤＣ／ＤＣコンバータとを制御する制御装置と、を備え、
前記制御装置は、前記第１ＤＣ／ＤＣコンバータにおいて正常時の方向と逆方向に流れる電流を検出した場合に、前記第１の太陽電池に、前記コンバータセットから入力される電力，電圧又は電流の少なくともいずれかが所定の第１閾値以下となるように、該コンバータセットの前記ＤＣ／ＤＣコンバータを制御することを特徴とするパワーコンディショナである。
【０００７】
本発明によれば、故障が生じた第１ＤＣ／ＤＣコンバータに接続された第１の太陽電池に正常時とは逆方向の電流が流入するとしても、コンバータセットから入力される電力，
電圧又は電流が所定の第１閾値以下とされることにより、第１の太陽電池の損傷を防止するとともに、コンバータセットに接続される第１の太陽電池とは別の太陽電池からの電力を利用することができる。特に、制御装置の電源をＤＣ／ＤＣコンバータから取得している場合に、コンバータセットのＤＣ／ＤＣコンバータからの出力を制御電源として利用することができ、制御装置の動作が不安定になることを防止することができる。
また、第１ＤＣ／ＤＣコンバータ及びコンバータセットのＤＣ／ＤＣコンバータは、太陽電池の直流電力を他の直流電力に変換する。第１ＤＣ／ＤＣコンバータ及びコンバータセットのＤＣ／ＤＣコンバータは、昇圧チョッパに限らず、降圧チョッパ等の直流電力を直流電力に変換する他の回路を含む。コンバータセットは、第１の太陽電池とは別の太陽電池に接続される少なくともＤＣ／ＤＣコンバータを含む。すなわち、コンバータセットに含まれるＤＣ／ＤＣコンバータは一つでもよいし、第１の太陽電池とは別の複数の太陽電池にそれぞれ接続される複数のＤＣ／ＤＣコンバータであってもよい。なお、正常時の方向と逆方向に流れる電流を検出した場合には、正常時とは逆方向の電流を検出した場合に限らず、逆方向の電流が所定の値以上であることを検出した場合のように基準となる電流値が設定される場合も含む。
【０００８】
また、本発明においては、前記制御装置は、前記第１ＤＣ／ＤＣコンバータにおいて正常時の方向と逆方向に流れる電流を検出した場合に、前記第１の太陽電池に、前記コンバータセットの前記ＤＣ／ＤＣコンバータにそれぞれ接続された前記太陽電池から出力される電力又は電圧がそれぞれ所定の第２閾値以下となるように、該コンバータセットの前記ＤＣ／ＤＣコンバータを制御するようにしてよい。
【０００９】
本発明によれば、コンバータセットに接続されるＤＣ／ＤＣコンバータにそれぞれ接続される太陽電池の特性に沿った制御により、第１の太陽電池の損傷を防止するとともに、コンバータセットに接続される太陽電池からの電力を利用することができる。ここで、コンバータセットに含まれるＤＣ／ＤＣコンバータが複数である場合には、所定の第２閾値は、ＤＣ／ＤＣコンバータがそれぞれ接続される太陽電池ごとに異なる値に設定することができる。
【００１０】
また、本発明においては、前記コンバータセットの前記ＤＣ／ＤＣコンバータは、前記制御装置からの制御信号に応じてオンオフ制御されるスイッチング素子をそれぞれ有し、
前記制御装置は、前記第１ＤＣ／ＤＣコンバータにおいて正常時の方向と逆方向に流れる電流を検出した場合に、前記制御装置から前記各スイッチング素子に出力される制御信号のデューティー比をそれぞれ所定の第３閾値以下となるように制御するようにしてもよい。
【００１１】
本発明によれば、故障が生じた第１ＤＣ／ＤＣコンバータに接続された第１の太陽電池に正常時とは逆方向の電流が流入するとしても、スイッチング素子に出力される制御信号のデューティー比が所定の第３閾値以下とされることにより、第１の太陽電池の損傷を防止するとともに、コンバータセットのＤＣ／ＤＣコンバータに接続される太陽電池からの電力を利用することができる。特に、制御装置の電源をＤＣ／ＤＣコンバータから取得している場合に、コンバータセットのＤＣ／ＤＣコンバータからの出力を制御電源として利用することができ、制御装置の動作が不安定になることを防止するとことができる。ここで、コンバータセットに含まれるＤＣ／ＤＣコンバータが複数である場合には、所定の第３閾値は、ＤＣ／ＤＣコンバータのスイッチング素子ごとに異なる値に設定することができる。
ここで、スイッチング素子は、ＤＣ／ＤＣコンバータによる電力変換のためにオンオフのスイッチングを行う。スイッチング素子は、例えば、ＩＧＢＴ，ＭＯＳ−ＦＥＴ，ＳｉＣ，ＧａＮ又はトランジスタであってもよい。
なお、本発明のパワーコンディショナが、第１ＤＣ／ＤＣコンバータと、コンバータセ
ットに含まれるＤＣ／ＤＣコンバータに加えて、さらに第１太陽電池とは別の太陽電池に接続されるＤＣ／ＤＣコンバータを含む場合も排除されない。例えば、コンバータセット以外に、スイッチング素子を常時オフさせたり、常時オン（短絡）させてたりするようなＤＣ／ＤＣコンバータが存在する場合も排除されない。
【００１２】
本発明においては、前記第１ＤＣ／ＤＣコンバータは、前記制御装置からの制御信号に応じてオンオフ制御される第１スイッチング素子を有し、
前記制御装置は、前記第１ＤＣ／ＤＣコンバータにおいて正常時の方向と逆方向に流れる電流を検出した場合に、前記第１スイッチング素子をオフさせるようにしてもよい。
【００１３】
また、本発明においては、前記第１ＤＣ／ＤＣコンバータ及び前記コンバータセットの前記ＤＣ／ＤＣコンバータから出力される直流電力を交流電力に変換するインバータを備え、
前記制御装置は、前記第１ＤＣ／ＤＣコンバータにおいて正常時の方向と逆方向に流れる電流を検出した場合に、前記インバータを停止させるようにしてもよい。
【００１４】
また、本発明においては、前記インバータと商用電源又は負荷に接続する回路を開閉する開閉手段を備え、
前記制御装置は、前記第１ＤＣ／ＤＣコンバータにおいて正常時の方向と逆方向に流れる電流を検出した場合に、前記開閉手段を開放するようにしてもよい。
【発明の効果】
【００１５】
本発明によれば、複数の太陽電池に接続されたパワーコンディショナにおいて、故障した回路に接続された太陽電池の損傷を防止するとともに、他の太陽電池からの電力の利用を可能とする技術を提供することできる。
【図面の簡単な説明】
【００１６】
【図１】本発明の実施例におけるパワーコンディショナを含む太陽発電システムの概略構成図である。
【図２】本発明の実施例における昇圧チョッパの構成を示す回路図である。
【図３】本発明の実施例における制御を示すフローチャートである。
【図４】本発明の実施例における保護動作１サブルーチンのフローチャートである。
【図５】本発明の実施例における保護動作２サブルーチンのフローチャートである。
【図６】本発明の実施例における保護動作３サブルーチンのフローチャートである。
【発明を実施するための形態】
【００１７】
〔適用例〕
以下、本発明の適用例について、図面を参照しつつ説明する。本発明は例えば、図２に示すような並列に接続されたＤＣ／ＤＣコンバータの一例である昇圧チョッパ２−１〜２〜４を備えたパワーコンディショナに適用される。昇圧チョッパ２−１では、ダイオード２５−１により正常時には、実線の矢印の方向に電流が流れるが、ダイオード２５−１が短絡故障すると、破線の矢印で示すような正常時とは逆方向の電流が流れる可能性がある。昇圧チョッパ２−１に接続された太陽電池に対して、破線の矢印方向に過大な電流が流れ込むと、発熱等によって損傷する可能性がある。しかし、太陽電池の特性に応じて、一定量以下であれば、正常時と逆方向に電流又は電力が流入しても、必ずしも破損するわけではない。また、昇圧チョッパ２−１〜２−４からの直流電力を制御電源として制御装置で利用する場合もあり、このような場合には、太陽電池ＰＶ−１への逆方向の電流をながれないようにするために、正常に動作する昇圧チョッパ２−２〜２−４からの出力が停止してしまうと制御装置の動作が不安定となってしまう可能性もある。本発明は、太陽電池ＰＶ−１へ流入する逆方向の電流又は電力等を可能な範囲で小さく抑えることにより、太
陽電池の破損を防止するとともに、他の太陽電池からの電力を利用できるようにしたものである。このような条件を実現するための制御としては、太陽電池ＰＶ−１に、太陽電池ＰＶ−２〜ＰＶ−４から入力される電力，電圧又は電流の少なくともいずれかや、太陽電池ＰＶ−２〜ＰＶ−４からそれぞれ出力される電力又は電圧や、昇圧チョッパ２−２〜２−４のＩＧＢＴ２４−２〜２４−４を駆動制御するＰＷＭ信号のデューティー比を指標として行うことができるが、他の指標を用いて制御してもよい。
【００１８】
〔実施例〕
以下では、本発明の実施例に係る電力変換装置について、図面を用いて、より詳細に説明する。
【００１９】
＜装置構成＞
図１は、本実施例に係る電力変換装置の一例であるパワーコンディショナ１を含む太陽電池システムの概略構成図である。
【００２０】
図１に示すように、パワーコンディショナ１には、複数の太陽電池ストリングＰＶ−１〜ＰＶ−４が接続されている。パワーコンディショナ１は、各太陽電池ストリングＰＶ−１〜ＰＶ−４から出力される直流電圧を変換するＤＣ／ＤＣコンバータ２−１〜２−４及び変換された直流電圧を交流電圧に変換するインバータ３を備える。パワーコンディショナ１は、さらに、インバータ３からの出力を不図示の商用電源又は負荷に接続する回路を開閉する開閉手段の一例であるリレー５を備える。そして、パワーコンディショナ１は、ＤＣ／ＤＣコンバータ２−１〜２−４，インバータ３及びリレー５を制御する制御装置４を備える。図１では、パワーコンディショナ１には４つの太陽電池ストリングＰＶ−１〜ＰＶ−４が接続されているが、並列に接続される太陽電池ストリングの数はこれに限られるものではなく、少なくとも複数あればよい。
【００２１】
図２は、ＤＣ／ＤＣコンバータ２−１〜２−４の一例である昇圧チョッパを示す（太陽電池ストリングＰＶ−１等及びインバータ３との接続は省略している。）。ＤＣ／ＤＣコンバータは、太陽電池ストリングの直流電圧を所定の直流電圧に変換するとともに太陽電池ストリングの動作点を調整する機構であり、昇圧チョッパに限られない。昇圧チョッパ２−１は、太陽電池ストリングＰＶ−１のＰ側及びＮ側に接続され、Ｐ側には、電流の方向及び大きさを検知する電流センサ２１−１が設けられている。電流センサ２１−１の出力は、制御装置４に入力される。電流センサ２１−１の出力側にはコンデンサ２２−１が並列に、そしてインダクタ２３−１がＰ側に直列に接続されている。そして、インダクタ２３−１の出力側には、スイッチング素子の一例であるＩＧＢＴ２４−１が並列に接続されている。このＩＧＢＴ２４−１には逆並列ダイオードが接続されている。ＩＧＢＴ２４−１の出力側には、太陽電池ＰＶ−１から出力側を順方向とする還流ダイオード２５−１がＰ側に直列に、そして、コンデンサ２６−１が並列に接続されている。ＩＧＢＴ２４−１のゲートには駆動回路２７−１を介して制御装置４が接続されており、ＰＷＭ制御信号が供給される。他の昇圧チョッパ２−２〜２−４の構成も同一であるので、同様の符号を付して説明は省略する。なお、図２では、電流センサ２１−１の出力側にコンデンサ２２−１を接続しているが、コンデンサ２２−１の後段にインダクタ２３−１に直列に電流センサ２１−１を接続するようにしてもよい。
【００２２】
昇圧チョッパ２−１が正常な状態であれば、ダイオード２５−１により、電流は、実線の矢印に示すように、太陽電池ストリングＰＶ−１側から出力側へと流れ、出力側から太陽電池ストリングＰＶ−１側への逆方向の電流の流入は阻止されている。しかし、何らかの原因で、例えば、昇圧チョッパ２−１のダイオード２５−１に短絡が生じると、出力側から太陽電池ストリングＰＶ−１へと、破線の矢印で示す、正常な状態とは逆方向の電流が許容される。このような場合に、他の昇圧チョッパ２−２〜２−４において、正常な状
態と同様にＩＧＢＴ２４−２〜２４−４が駆動されているか、またはスイッチング停止されていると、破線の矢印のように、他の昇圧チョッパ２−２〜２−４から出力される電力が、昇圧チョッパ２−１を通じて太陽電池ストリングＰＶ−１側に入力される可能性がある。太陽電池ストリングＰＶ−１に入力される電力が過大であれば、発熱によって損傷する可能性がある。以下では、昇圧チョッパ２−１のダイオード２５−１に短絡故障が生じた場合について説明するが、いずれの昇圧チョッパのダイオードに短絡故障が生じても同様であり、三つ以上の太陽電池ストリングが接続されたシステムにおいて、短絡故障が生じているダイオードが複数あり、少なくとも一つ以上の他のチョッパ部は正常に動作している場合でも同様である。また、短絡故障が生じた旨や、故障個所等の情報を、パワーコンディショナ１に設けた不図示の表示部や、ネットワークを介して接続されたＰＣ等の端末の表示部に表示させるようにしてもよい。ここでは、コンバータセット６は、ＤＣ／ＤＣコンバータ２−１〜２−４、すなわち昇圧チョッパ２−１〜２−４を含む。
【００２３】
＜制御方法＞
このため、本実施例では、図３に示すフローチャートに示す手順に従って、パワーコンディショナ１を制御する。まず、ステップ１において、電流センサ２１−１〜２１−４によって、電流（方向を含む）を検出する。そして、ステップ２において、検出された電流が正常か否かを判断する。検出された電流が正常とは、検出された電流が、正常な状態において流れる方向に流れていることである。電流が正常であれば処理を終了する。そして、検出された電流が正常でない、すなわち、正常な状態とは逆の方向の電流が検出されると、ステップ３において、所定の保護動作サブルーチンを実行して、処理を終了する。なお、検出された電流が正常でないと判断される場合には、正常な状態とは逆方向の電流が検出される場合に限らず、逆方向の電流が所定の値以上であることが検出された場合のように基準となる電流値が設定される場合も含む。
【００２４】
図４に保護動作１サブルーチンの手順を示す。以下では、電流センサ２１−１において、正常な状態とは逆方向の電流が検出された場合を例として説明するが、他の電流センサ２１−２〜２１−４において検出された場合でも同様である。
まず、インバータ４を停止させるとともにリレー５を開放する（ステップ３１）。
次に、逆電流が検出された電流センサ２１−１を含む昇圧チョッパ２−１のＩＧＢＴ２４−１のゲートをオープン（オフ）にする（ステップ３２）。
そして、正常に動作している昇圧チョッパ２−２〜２−４を駆動する（ステップ３３）。このとき、昇圧チョッパ２−２〜２−４は、各太陽電池ストリングＰＶ−２〜ＰＶ−４から太陽電池ストリングＰＶ−１に入力される電力，電圧又は電流の少なくともいずれかが所定の閾値（第１閾値）以下となる条件で駆動する。この所定の閾値の具体的な値については、これらの電力が入力される太陽電池ストリングＰＶ−１が損傷しない程度の値として、その特性に応じて設定することができる。太陽電池ストリングＰＶ−１に入力される電流が電流センサ２１−１の電流値を検出しながら、所定の閾値以下となるように昇圧チョッパ２−２〜２−４をフィードバック制御により駆動する。
【００２５】
図５に、保護動作２サブルーチンの手順を示す。ステップ３１及びステップ３２は、保護動作１と共通であるので、説明は省略する。保護動作２サブルーチンでは、ステップ３４において、昇圧チョッパ２−２〜２−４を駆動する際に、各太陽電池ストリングＰＶ−２〜ＰＶ−４から出力される電力又は電圧が、それぞれの所定の閾値（第２閾値）以下となる条件で駆動するものである。この所定の閾値の具体的な値については、これらの電力又は電圧が入力される太陽電池ストリングＰＶ−１が損傷しない程度の値として、その特性に応じて設定することができる。ここで、第２閾値は、具体的には、それぞれの昇圧チョッパ２−２〜２−４に対して設定される複数の値であり、必ずしも一つの値を指すものではない。
【００２６】
図６に保護動作３サブルーチンの手順を示す。
ステップ３１及びステップ３２については、図４に示す保護動作１サブルーチンと同様であるので、説明を省略する。
ステップ３２の次に、正常に動作している昇圧チョッパ２−２〜２−４を駆動する（ステップ３５）。このとき、昇圧チョッパ２−２〜２−４は、それぞれのＩＧＢＴ２４−２〜２４−４を駆動制御するために、制御装置５から出力されるＰＷＭ信号のデューティー比をそれぞれ所定の閾値（第３閾値）以下とする条件で駆動する。この所定の閾値のそれぞれの具体的な値については、昇圧チョッパ２−２〜２−４から出力される電力によって、太陽電池ストリングＰＶ−１が損傷しない程度の値として、その特性に応じて設定することができる。本実施例では、ＩＧＢＴ２４−２〜２４−４をＰＷＭ制御しているが、ＤＣ／ＤＣコンバータの回路方式によってはＰＦＭ制御を行う場合がある。ここで、第３閾値は、具体的には、それぞれの昇圧チョッパ２−２〜２−４に対して設定される複数の値であり、必ずしも一つの値を指すものではない。
【００２７】
上述の制御方法によれば、制御装置４の電源を昇圧チョッパ２−１〜２−４から取得している場合に、昇圧チョッパ２−２〜２−４からの直流電圧を制御装置４の電源として利用することができる。すなわち、いずれかの昇圧チョッパにおいて短絡故障が生じた場合でも、正常に動作する昇圧チョッパを介して他の太陽電池ストリングからの電力を利用することにより、パワーコンディショナ１の制御電源を確保することができる。また、この場合には、上述の各閾値を、制御装置４の動作が不安定にならないような値を選択することが望ましい。
【００２８】
なお、以下には本発明の構成要件と実施例の構成とを対比可能とするために、本発明の構成要件を図面の符号付きで記載しておく。
＜発明１＞
第１の太陽電池（ＰＶ−１）に接続される第１ＤＣ／ＤＣコンバータ（２−１）と、
前記第１の太陽電池（ＰＶ−１）とは別の太陽電池（ＰＶ−２〜ＰＶ−４）にそれぞれ接続されるとともに前記第１ＤＣ／ＤＣコンバータ（２−１）と並列に接続されるＤＣ／ＤＣコンバータ（２−２〜２−４）を少なくとも一つ含むコンバータセット（６）と、
前記第１ＤＣ／ＤＣコンバータ（２−１）と、前記コンバータセット（６）の前記ＤＣ／ＤＣコンバータ（２−２〜２−４）とを制御する制御装置（４）と、を備え、
前記制御装置（４）は、前記第１ＤＣ／ＤＣコンバータ（２−１）において正常時の方向と逆方向に流れる電流を検出した場合に、前記第１の太陽電池（ＰＶ−１）に、前記コンバータセット（６）から入力される電力，電圧又は電流の少なくともいずれかが所定の第１閾値以下となるように、該コンバータセット（６）の前記ＤＣ／ＤＣコンバータ（２−２〜２−４）を制御することを特徴とするパワーコンディショナ（１）。
＜発明２＞
前記制御装置（４）は、前記第１ＤＣ／ＤＣコンバータ（２−１）において正常時の方向と逆方向に流れる電流を検出した場合に、前記第１の太陽電池（ＰＶ−１）に、前記コンバータセット（６）の前記ＤＣ／ＤＣコンバータ（２−２〜２−４）にそれぞれ接続された前記太陽電池（ＰＶ−２〜ＰＶ−４）から出力される電力又は電圧がそれぞれ所定の第２閾値以下となるように、該コンバータセット（６）の前記ＤＣ／ＤＣコンバータ（２−２〜２−４）を制御することを特徴とする請求項１に記載のパワーコンディショナ。
＜発明３＞
前記コンバータセット（６）の前記ＤＣ／ＤＣコンバータ（２−２〜２−４）は、前記制御装置（４）からの制御信号に応じてオンオフ制御される第２スイッチング素子（２４−２〜２４−４）を有し、
前記制御装置（４）は、前記第１ＤＣ／ＤＣコンバータ（２−１）において正常時の方向と逆方向に流れる電流を検出した場合に、前記制御装置（４）から前記第２スイッチング素子（２４−２〜２４−４）に出力される制御信号のデューティー比をそれぞれ所定の
第３閾値以下となるように制御することを特徴とする請求項２に記載のパワーコンディショナ（１）。
＜発明４＞
前記第１ＤＣ／ＤＣコンバータ（２−１）は、前記制御装置（４）４からの制御信号に応じてオンオフ制御される第１スイッチング素子（２４−１）を有し、
前記制御装置４は、前記第１ＤＣ／ＤＣコンバータ（２−１）において正常時の方向と逆方向に流れる電流を検出した場合に、前記第１スイッチング素子（２４−１）をオフさせることを特徴とする請求項１乃至３のいずれか１項に記載のパワーコンディショナ。
＜発明５＞
前記第１ＤＣ／ＤＣコンバータ（２−１）及び前記コンバータセット（６）の前記ＤＣ／ＤＣコンバータ（２−２〜２−４）から出力される直流電力を交流電力に変換するインバータ（３）を備え、
前記制御装置４は、前記第１ＤＣ／ＤＣコンバータ（２−１）において正常時の方向と逆方向に流れる電流を検出した場合に、前記インバータ（３）を停止させることを特徴とする請求項４に記載のパワーコンディショナ（１）。
＜発明６＞
前記インバータ（３）と商用電源又は負荷に接続する回路を開閉する開閉手段（５）を備え、
前記制御装置（４）は、前記第１ＤＣ／ＤＣコンバータ（２−１）において正常時の方向と逆方向に流れる電流を検出した場合に、前記開閉手段（５）を開放することを特徴とする請求項５に記載のパワーコンディショナ（１）。
【符号の説明】
【００２９】
ＰＶ−１，ＰＶ−２，ＰＶ−３，ＰＶ−４：太陽電池ストリング
１：パワーコンディショナ
２−１，２−２，２−３，２−４：ＤＣ／ＤＣコンバータ
３：インバータ
４：制御装置
５：リレー
６：コンバータセット
２１−１，２１−２，２１−３，２１−４：電流センサ
２４−１，２４−２，２４−３，２４−４：ＩＧＢＴ
【図１】
2019161892.tif 000003
【図２】
2019161892.tif 000004
【図３】
2019161892.tif 000005
【図４】
2019161892.tif 000006
【図５】
2019161892.tif 000007
【図６】
2019161892.tif 000008